(57)【特許請求の範囲】
【請求項１】
シート材の面内の一部分を凸状に変形させることによって、商品を収納可能な収納凹部と前記収納凹部の開口縁の周囲から延出されたフランジ部とが形成されているカバー部材と、前記フランジ部の裏面に添付され且つ前記収納凹部の開口を閉塞する閉塞シートと、を有するブリスター容器において、
前記カバー部材が、シート成形によって、前記フランジ部の両側部が収納凹部の開口縁よりも収納凹部の突出面側に曲げられた部分を有し、且つ、前記フランジ部の下縁が底面視非直線状となるように形成されており、
前記カバー部材のフランジ部の下縁を設置面上に置いたときに、ブリスター容器が自立することを特徴とするブリスター容器。
【請求項２】
前記フランジ部の両側部の少なくとも一方の側部の先端が、前記収納凹部の突出面よりも外側に位置している請求項１に記載のブリスター容器。
【請求項３】
前記収納凹部の下面部が、前記フランジ部の下縁から上方に離れている請求項１又は２に記載のブリスター容器。
【発明の詳細な説明】
【技術分野】
【０００１】
本発明は、自立させて陳列できるブリスター容器に関する。
【背景技術】
【０００２】
従来、化粧品などの各種商品を包装する容器として、ブリスター容器が知られている。
ブリスター容器は、一般に、商品を収納可能な収納凹部が形成されたカバー部材と、前記カバー部材の収納凹部に対応する開口を塞ぐ閉塞シートと、を有し、前記カバー部材が、合成樹脂製透明シート材の成形品からなり、カバー部材及び閉塞シートの上部には、両者に貫通する吊下げ用孔が形成されている。
かかるブリスター容器は、商品を収納した包装体の態様で、前記吊下げ用孔を介して吊り下げて陳列される。
【０００３】
また、吊下げ陳列のみならず、自立させて陳列できるブリスター容器も知られている。  例えば、特許文献１には、透明カバーと台紙によって構成されており、前記透明カバーに、第１及び第２の物品収容部が形成され、第１及び第２の物品収容部の底面に、接地部が形成されているブリスター容器が開示されている。
しかしながら、このブリスター容器は、透明カバーの底縁が台紙の底縁に略一致しているため、透明カバーの底縁が台紙に対して接着し難く、両底縁の間に隙間が生じる虞があるという問題点がある。このように隙間が生じると、物品収容部内の物品が不正に取り出される虞がある。
さらに、上記特許文献１のブリスター容器は、物品収容部の底面に接地部を形成しているため、物品収容部の形成位置が、下方に限定されるという問題点もある。
【０００４】
また、特許文献２には、収納部及びその周囲にフランジ部を有する容器本体と、容器本体のフランジ部に接着された蓋体と、からなり、前記収納部の１つの側壁が下方に傾斜されているブリスター容器が開示されている。
かかるブリスター容器は、下方に傾斜した前記側壁の縁部と蓋体の下端縁とを設置面上に置くことによって、自立可能である。
特許文献２のブリスター容器は、収納部の周囲全体にフランジ部が形成されているので、該フランジ部と蓋体を面接着することにより、上記特許文献１のような、隙間が発生しない。
しかしながら、かかるブリスター容器は、自立させるために、収納部の側壁を傾斜状に成形しなければならない。かかる傾斜状の側壁を有する収納部は、成形困難である上、成形後、スタッキングして保管できない。前記スタッキングとは、複数の容器本体を重ね合わせて省スペース化を図ることである。
【０００５】
さらに、特許文献３には、紙が積層されたフランジ部を加熱して紙側へと折り曲げることにより、内容物充填部位とは反対側（紙側）に自立補助部が形成されたブリスター容器が開示されている。
しかしながら、かかるブリスター容器は、内容物充填部位内に商品などを入れ且つフランジ部に紙を積層した後、該フランジ部を熱加工で折り曲げなければならないので、容易に製造できない。また、自立補助部が内容物充填部位とは反対側に出ているので、特許文献３のブリスター容器は、全体として嵩張り、１つの梱包箱内に詰める個数も少なくなる。さらに、特許文献３のブリスター容器は、自立補助部だけで自立させることは困難であり、自立補助部と内容物充填部位の下面とが一体となった自立面を形成しなければならない。このため、内容物充填部位の形成位置が、下方に限定されるという問題点もある。
【０００６】
さらに、上記特許文献１〜３のブリスター容器は、流通時、外側から収納凹部に異物が当たることによって収納凹部が変形する結果、商品価値を損ねるという問題点もある。
【先行技術文献】
【特許文献】
【０００７】
【特許文献１】特開２００５−１３８８４７号公報
【特許文献２】実開平２−８３２７１号公報
【特許文献３】特開２００２−１０４５０４号公報
【発明の概要】
【発明が解決しようとする課題】
【０００８】
本発明の目的は、カバー部材と閉塞シートの間に隙間を生じず、且つカバー部材の収納凹部の形成位置や形状に拘わらず、自立させることができるブリスター容器を提供し、併せて収納凹部の変形を防止できるブリスター容器を提供することである。
【課題を解決するための手段】
【０００９】
本発明のブリスター容器は、シート材の面内の一部分を凸状に変形させることによって、商品を収納可能な収納凹部と前記収納凹部の開口縁の周囲から延出されたフランジ部とが形成されているカバー部材と、前記フランジ部の裏面に添付され且つ前記収納凹部の開口を閉塞する閉塞シートと、を有し、前記カバー部材が、シート成形によって、前記フランジ部の両側部が収納凹部の開口縁よりも収納凹部の突出面側に曲げられた部分を有し、且つ、前記フランジ部の下縁が底面視非直線状となるように形成されており、前記カバー部材のフランジ部の下縁を設置面上に置いたときに、ブリスター容器が自立する。
好ましくは、前記収納凹部の下面部が前記フランジ部の下縁から上方に離れて形成されている。
【００１０】
上記ブリスター容器は、収納凹部内に商品を収納した後、カバー部材のフランジ部の下縁を設置面上に置くことによって、自立させることができる。
本発明のブリスター容器の自立性は、フランジ部の両側部を収納凹部の突出面側に曲げることによって達成できる。このため、本発明では、収納凹部を下方側に寄せて形成する必要性はなく、又、収納凹部の一部分を傾斜状に形成する必要性もない。さらに、収納凹部の形成位置が下方に限定されないので、収納凹部の下面部をフランジ部の下縁から離して形成でき、例えば、収納凹部の周囲全体からフランジ部を延設できる。このため、本発明のブリスター容器は、収納凹部の開口縁の周囲から延出されたフランジ部に、閉塞シートを添付できるので、カバー部材と閉塞シートの間に、不正に商品を取り出すことができるほどの隙間が生じない。
さらに、本発明のブリスター容器は、フランジ部の両側部が収納凹部の突出面側に曲げられているので、自立安定性に優れている。具体的には、収納凹部内に商品が入れられた後のブリスター容器は、重心が収納凹部の突出面側に偏るため、収納凹部側に倒れやすい。この点、本発明のように、フランジ部の両側部が収納凹部の突出面側に曲げられていることにより、商品収納後のブリスター容器は、収納凹部側に倒れ難くなり、優れた自立安定性を有する。
また、フランジ部の両側部が収納凹部の突出面側に曲げられていることにより、出っ張り部分（フランジ部の両側部及び収納凹部）が、一方の面に集約される。このため、本発明のブリスター容器は、フランジ部の両側部を折り曲げているにも拘わらず、全体として嵩張らず、省スペース化を図ることができる。
【００１１】
本発明の好ましいブリスター容器は、前記フランジ部の両側部の少なくとも一方の側部の先端が、前記収納凹部の突出面よりも外側に位置している。
かかる好ましいブリスター容器は、自立安定性に特に優れている上、収納凹部の両側にフランジ部の両側部が位置しているため、この両側部が防御壁の如く機能して、収納凹部に異物が当たることを防止できる。このため、上記好ましいブリスター容器は、流通時に、収納凹部が変形し難い。
【発明の効果】
【００１２】
本発明のブリスター容器は、カバー部材と閉塞シートの間に隙間を生じず、カバー部材の収納凹部の形成位置や形状に拘わらず、安定的に自立させることができる。かかるブリスター容器は、吊下げ陳列だけでなく、自立させて陳列販売することもできる。
さらに、本発明の好ましいブリスター容器は、異物が収納凹部に当たることを防止できる。このため、流通時に収納凹部が変形し難く、商品価値の高いブリスター容器を提供できる。
【図面の簡単な説明】
【００１３】
【図１】１つの実施形態に係るブリスター容器の正面図。
【図２】同底面図。
【図３】同右側面図。
【図４】図１のＩＶ−ＩＶ線断面図。
【図５】１つの実施形態に係るカバー部材の斜視図。
【図６】他の実施形態に係るカバー体の斜視図。
【図７】更なる他の実施形態に係るカバー部材の斜視図。
【図８】更なる他の実施形態に係るカバー部材の斜視図。
【図９】更なる他の実施形態に係るカバー部材の斜視図。
【発明を実施するための形態】
【００１４】
以下、本発明の好ましい実施形態について、図面を参照しつつ具体的に説明する。
ただし、方向を示す用語として、「上」及び「下」は、ブリスター容器を自立させた状態を基準とする。
【００１５】
図１〜図４において、１は、本発明のブリスター容器を示す。
ブリスター容器１は、シート材の成形品からなるカバー部材２と、カバー部材２のフランジ部６に添付される閉塞シート３と、を有する。
カバー部材２は、シート材の面内の一部分を凸状に変形させることによって得られる。カバー部材２には、シート材を凸状に変形させることによって商品を収納可能な収納凹部５が形成されており、その収納凹部５の開口縁の周囲には、フランジ部６が延出されている。
前記カバー部材２の収納凹部５と閉塞シート３の間に、商品Ａが収納される。
ただし、図４にのみ、商品Ａを二点差線で表している。
収納する商品Ａは、特に限定されない。本発明のブリスター容器１は、化粧品、医薬品、食品、乾電池、おもちゃ、文房具、電子機器類、建築部品などの従来公知の各種商品を収納できる。
【００１６】
具体的には、カバー部材２は、フランジ部６と、フランジ部６の面内においてその表面側に凸状に突設された収納凹部５と、を有する。
カバー部材２は、例えば、合成樹脂製シート材から形成されている。前記合成樹脂製シート材の材質は特に限定されず、例えば、ポリエチレン、ポリプロピレンなどのポリオレフィンなどが挙げられる。前記カバー部材２は、透明性に優れたシート材を用いることが好ましいが、透明性が損なわれない範囲で、着色されていてもよい。また、カバー部材２の表面又は裏面の一部には、所望の印刷が施されていてもよいし、或いは、表示ラベルが貼付されていてもよい。
前記シート材の厚みは特に限定されず、通常、厚み２００μｍ〜１０００μｍ程度のシート材が用いられる。
【００１７】
カバー部材２には、図５にも示すように、外側へ突出した収納凹部５が形成されている。この収納凹部５は、平坦面状のシート材の面内の一部分を凸状にシート成形することによって形成できる。
シート成形は、真空成形、圧空成形、プレス成形などの従来公知の成形法で行えばよい。
【００１８】
収納凹部５は、上面部５１及び下面部５２と、上下面部５１，５２の間に連設された両側面部５３，５４と、上下面部５１，５２の各外端縁及び両側面部５３，５４の各外端縁に連設され且つ外向きに膨らんだ湾曲面からなる突出面５５と、を有する凹形状である。この収納凹部５をカバー部材２から除いた残りの部分が、上記フランジ部６である。
図４に示すように、上下面部５１，５２の各内端縁５１ａ，５２ａ及び両側面部５３，５４の各内端縁５３ａによって、収納凹部５の開口縁が形成されている。収納凹部５を基準にして、前記開口縁の周囲から径外方向（開口縁から離れる方向）にフランジ部６が延設されている。上下面部５１，５２は、フランジ部６に対して略直交状に形成され、両側面部５３，５４もフランジ部６に対して略直交状に形成されている。上面部５１は、フランジ部６の上縁から下方に離れており、下面部２は、フランジ部６の下縁６ａから上方に離れている。
収納凹部５の大きさ（上下面部５１，５２、両側面部５３，５４及び突出面５５で区画される空間の容積）は、商品Ａを収納できる程度であれば特に限定されず、商品Ａに応じて任意に設定される。
【００１９】
フランジ部６は、全体として湾曲状に曲げられている。このため、フランジ部６の下縁６ａの底面視形状は、湾曲状（弧状とも言う）である。なお、底面視形状とは、図２のように、カバー部材を底面側から見た形状を言う。
具体的には、フランジ部６は、収納凹部５が設けられた部分を基準にして、フランジ部６の両側部６１，６２が収納凹部５側に曲げられている（つまり、フランジ部６は、幅方向に湾曲している）。換言すると、フランジ部６は、その下縁６ａを含む両方の側部６１，６２が、収納凹部５の開口縁よりも収納凹部５の突出面５５側に曲げられている。
このようにフランジ部６の両側部６１，６２が、収納凹部５の開口縁よりも収納凹部５の突出面５５側に曲げられた部分を有することにより、フランジ部６の下縁６ａを設置面上に置いた状態で、ブリスター容器１を安定的に自立させることができる。
従来のブリスター容器のカバー部材においては、収納凹部の開口縁を含む平面上に、全体的に平坦面とされたフランジ部が形成されている。この点、本発明のブリスター容器１のカバー部材２は、フランジ部６の両側部６１，６２が曲げられているので、フランジ部６の下縁６ａを設置面上に置くことにより、当該設置面上に自立し得る。
【００２０】
また、フランジ部６の両側部６１，６２のうち少なくとも何れか一方の側部の先端が、収納凹部５の突出面５５よりも外側に出た位置となるように、前記フランジ部６が形成されていることが好ましい（図４参照）。特に、両側部６１，６２のそれぞれの先端６１ａ，６２ａが、収納凹部５の突出面５５よりも外側に位置していることが好ましい。この場合、ブリスター容器１を下方から見たときに（図２参照）、収納凹部５は、フランジ部６の下縁６ａと、前記両先端６１ａ，６２ａを結んだ仮想線とによって区画される領域内に含まれる。
収納凹部５の開口縁から延出されるフランジ部６の一方の側部６１の先端６１ａ（好ましくは、両側部６１，６２の先端６１ａ，６２ａ）が、収納凹部５の突出面５５を越えることにより、特に自立安定性に優れたブリスター容器１（カバー部材２）を提供できる。
さらに、収納凹部５の両側にフランジ部６の両側部６１，６２が位置しているため、この両側部６１，６２が収納凹部５を守る防御壁の如く機能を発揮して、収納凹部に異物が当たることを防止できる。このため、流通時に、収納凹部が変形し難いブリスター容器１を提供できる。
【００２１】
本実施形態のように、フランジ部６の下縁６ａを含むフランジ部６の全体が湾曲状に形成されている場合、その曲率は特に限定されず、収納凹部５の大きさやフランジ部６の幅などに応じて任意に設定できる。収納凹部５内に商品Ａを入れたカバー部材２に閉塞シート３を添付したブリスター容器１について、そのカバー部材２のフランジ部６の下縁６ａを設置面上に置いたときに、前記ブリスター容器１が自立するように、フランジ部６の下縁６ａの湾曲度合いを適宜設定すればよい。
なお、フランジ部６は、製造し易く且つ外観も良好であることから、その全体が湾曲状に曲げられていることが好ましいが、これに限定されない。例えば、フランジ部６は、フランジ部６の下方側が湾曲状に曲げられ且つフランジ部６の上方側に向かうに従い平坦状に形成されていてもよい。このような形状のフランジ部６であっても、その下縁６ａを設置面上に置くことにより、ブリスター容器１は自立し得る。
もっとも、収納凹部５を異物から保護するためには、フランジ部６の側部６１，６２は、その上下方向全体において略同じように曲げられていることが好ましい。
【００２２】
閉塞シート３は、前記カバー部材２の収納凹部５の開口を閉塞するために、カバー部材２のフランジ部６の裏面に添付されている。本実施形態では、閉塞シート３は、カバー部材２のフランジ部６の周縁形状と略同じ形状（大きさ）に形成されている。
前記閉塞シート３は、カバー部材２のフランジ部６の裏面に面接着されていてもよいし、カバー部材２のフランジ部６の裏面と接着しないでフランジ部６に付けられていてもよい。閉塞シート３を接着しないでカバー部材２のフランジ部６に付ける方法としては、例えば、（１）フランジ部６の裏面に閉塞シート３を重ねた後、粘着テープで両者を留める、（２）カバー部材２のフランジ部６の周縁部を１８０度（ヘアピン状に）折り曲げることによって、閉塞シート３の周縁部を挿入保持する係止溝部を形成し、この係止溝部に閉塞シート３を保持することによって閉塞シート３をフランジ部６に付ける、などが挙げられる。
【００２３】
本実施形態の閉塞シート３は、粘着剤を介して、カバー部材２のフランジ部６に接着されている。かかる閉塞シート３は、ベースシート３１と、ベースシート３１の一面に形成された粘着剤層３２と、を有する。
ベースシート３１は、柔軟性を有していれば特に限定されず、例えば、厚紙、合成紙、合成樹脂製シートなどの単層シート、及びこれらの積層シート、並びにこれらシートに他の機能層（金属蒸着層など）が積層された積層シートなどが挙げられる。なお、本明細書において、シートとは、一般にフィルムと呼ばれているものを含む意味である。
ベースシート３１としては、好ましくは厚紙、厚紙を含む積層シート、合成樹脂製シート、又は、合成樹脂製シートを含む積層シートが用いられる。具体的には、ベースシート３１は、例えば、厚み０．５ｍｍ〜１．５ｍｍ程度の厚紙若しくはその積層シート、又は、厚み０．３ｍｍ〜０．８ｍｍ程度の合成樹脂製シート若しくはその積層シートが好ましい。これらのベースシートは、適度な柔軟性を有し、フランジ部６の形状に沿って、フランジ部６の裏面に容易に接着し得る。
なお、ベースシート３１には、通常、商品名、絵柄、商品説明などの意匠印刷が施される。
【００２４】
粘着剤層３２は、カバー部材２のフランジ部６に対応する部分に少なくとも設けられていればよい（図４参照）。粘着剤としては、常温で粘着性を示す感圧型粘着剤、常温で粘着性を示さず且つ加熱することによって粘着性を発揮する感熱型粘着剤などを用いることができる。感圧型粘着剤は、接着時に加熱する必要がないので、カバー部材に熱変形を生じさせる虞がない。従って、感圧型粘着剤を使用すれば、耐熱性の低い材料を用いてカバー部材を形成することも可能である。また、感圧型粘着剤は、剥離後再貼付することも可能である。このような理由から、粘着剤層３２は、感圧型粘着剤で形成されていることが好ましい。
【００２５】
なお、粘着剤層３２は、カバー部材２の収納凹部５の開口側に対応する部分にも設けられていてもよい（図４において、収納凹部の開口を符号５ａで示す）。開口側に対応する部分に粘着剤層３２を設けることにより、収納した商品Ａが前記粘着剤層３２に部分接着される。従って、収納した商品Ａが閉塞シート３によって接着保持されるため、商品Ａの位置ずれを防止できる。かかる位置ずれ防止により、商品Ａの正面（商品名などが表示されている面）を、カバー部材２を通じて消費者に確実に見せることができる。
【００２６】
また、上記閉塞シート３は、ベースシートの全面に粘着剤層を設け且つこの粘着剤層上の所定範囲に隠蔽層を設けることによって、形成することもできる（図示せず）。隠蔽層は、粘着剤の粘着力を隠蔽するための層である。隠蔽層は、例えば、粘着剤層の一面の所定範囲に、印刷インキの塗工又はフィルムの貼り付けなどを行うことにより形成できる。隠蔽層が設けられた所定範囲は、粘着剤が露出しなくなるので、接着予定箇所を除いて、隠蔽層を設けることにより、上記閉塞シート３を容易に得ることができる。
【００２７】
上記ブリスター容器１は、次のようにして使用される。
カバー部材２の開口から収納凹部５内に、商品Ａを入れた後、閉塞シート３で前記開口を塞ぎながら、閉塞シート３をフランジ部６に接着する。このようにして、収納凹部５と閉塞シート３で区画される閉空間内に、商品Ａが収納されたブリスター容器１が得られる。
本発明のブリスター容器１は、カバー部材２のフランジ部６の下縁６ａを設置面上に置いて使用される。カバー部材２のフランジ部６の両側部６１，６２が収納凹部５の突出面５５側に曲げられているので、ブリスター容器１は、前記フランジ部６の下縁６ａを設置面上に置くことによって、安定的に自立し得る。すなわち、収納凹部５内に商品Ａが入れられた後のブリスター容器１は、重心が収納凹部５の突出面５５側に偏るため、収納凹部側に倒れやすい。しかしながら、上述のように、フランジ部６の両側部６１，６２が収納凹部５の突出面５５側に曲げられていることにより、商品収納後のブリスター容器１は、収納凹部側に倒れ難くなる。このため、自立安定性に優れたブリスター容器１を提供できる。さらに、フランジ部６の両側部６１，６２の先端６１ａ，６２ａが、収納凹部５の突出面５５よりも外側に位置しているので、特に自立安定性に優れている。
【００２８】
このようにフランジ部６の両側部６１，６２を曲げることによってブリスター容器１が自立するため、上記収納凹部５を下方側に寄せて形成する必要性はなく、又、収納凹部５の一部分を傾斜状に形成する必要性もない。また、収納凹部５の形成位置が下方に限定されないので、収納凹部５の下面部５２をフランジ部６の下縁６ａから離して形成することができ、例えば、収納凹部５の開口縁の周囲全体からフランジ部６を延設することもできる。この開口縁の周囲全体において、閉塞シート３をフランジ部６の裏面に所定幅接着することにより、収納凹部５と閉塞シート３によって閉空間を形成できる。本発明のブリスター容器は、前記閉空間に商品Ａが収納されており、前記商品Ａが不正に取り出されるおそれがない。
【００２９】
また、上記ブリスター容器１は、フランジ部６の両側部６１，６２が収納凹部５の突出面５５側に曲げられているので、出っ張り部分（フランジ部の両側部及び収納凹部）が、フランジ部の表面側に集約される。このため、フランジ部６の裏面側（収納凹部５とは反対側）に出っ張りが生じず、より多くのブリスター容器１を、梱包箱内に詰めることが可能となる。
なお、フランジ部６の両側部６１，６２が収納凹部５側に曲げられたカバー部材２は、閉塞シート３を添付する前、その複数個をスタッキングして保管することもできる。
【００３０】
次に、本発明のブリスター容器の他の実施形態を説明する。
ただし、他の実施形態の説明において、上記実施形態のブリスター容器の各部と同一の構成及び効果については、その説明を省略し、用語及び符号を援用する場合がある。
【００３１】
上記実施形態において、閉塞シート３は、カバー部材２のフランジ部６の周縁形状と略同じ形状（大きさ）に形成されているが、閉塞シート３は、フランジ部６の周縁形状よりも小さい形状でもよいし、或いは、大きい形状でもよい。閉塞シート３がフランジ部６の周縁形状よりも小さい場合、この閉塞シート３は、収納凹部５の開口縁の形状よりも大きく、且つフランジ部６の周縁形状よりも小さく形成されていれば、収納凹部５の開口を塞ぐことができる。他方、閉塞シート３がフランジ部６の周縁形状よりも大きい場合、閉塞シート３をフランジ部６に添付したときに、フランジ部６の周縁全体又は周縁の一部から、閉塞シート３の周縁部全体又は周縁部の一部が舌状に延出される。
【００３２】
また、上記実施形態において、フランジ部６は、全体として湾曲状に曲げられている又は少なくともフランジ部６の下方側が湾曲状に曲げられているが、フランジ部６は、湾曲状に限られない。フランジ部６の下縁６ａを設置面上に置いたときにブリスター容器が自立するように、フランジ部６の両側部６１，６２が、収納凹部５の突出面５５側に曲げられていればよい。
【００３３】
例えば、図６に示すカバー部材２のフランジ部６は、収納凹部５の開口縁の周囲全体から延設された平坦状のフランジ本体６１１と、収納凹部５の開口縁よりも収納凹部５の突出面５５側に曲げられ且つフランジ本体６１１の表面に対して所定角で折り曲げられた両側部６１，６２と、を有する。このフランジ部６の両方の側部６１，６２の、フランジ本体６１１に対するそれぞれの折れ曲がり角度αは、好ましくは４０度〜１４０度であり、より好ましくは６０度〜１４０度であり、特に好ましくは９０度を超え１４０度以下である。前記角度αが９０度を超え１４０度以下である場合、カバー部材２をスタッキングして保管することができる。
図６に示すフランジ部６の両側部６１，６２は、フランジ本体６１１に対して略直角に折り曲げられている。
【００３４】
また、図６に示すフランジ部６の両側部６１，６２のうち少なくとも何れか一方の側部６１，６２の先端６１ａ，６２ａが、収納凹部５の突出面５５よりも外側に出るように形成されていることが好ましい。上記実施形態と同様に、フランジ部６の下縁６ａを載置面上に置いたときに、ブリスター容器１をより安定的に自立させることができる上、収納凹部５の変形を防止できるからである。
【００３５】
また、図７に示すカバー部材２のフランジ部６は、全体が波形状に湾曲されている。波形の数は特に限定されず、通常、２〜３個である。カバー部材２が波形状に形成される場合、フランジ部６の両側部６１，６２は、収納凹部５の開口縁よりも収納凹部５の突出面５５側に曲げられた部分を有する。また、上記実施形態と同様の効果を奏することから、両側部６１，６２のうち少なくとも何れか一方の側部６１，６２（より好ましくは両側部）の先端６１ａ，６２ａが、収納凹部５の突出面５５よりも外側に出るように形成されていることが好ましい。
【００３６】
図８に示すカバー部材２のフランジ部６は、全体が山型状に屈折されている。このフランジ部６は、収納凹部５を挟んだ一対の平坦状のフランジ片６２１，６２２が、互いの側縁で所定の結合角を以て接合されることにより、山型状に形成されている。前記結合角は、特に限定されないが、好ましくは鈍角であり、より好ましくは１００度〜１６０度である。フランジ部６が山型状に形成されている場合も、フランジ部６の両側部６１，６２は、収納凹部５の開口縁よりも収納凹部５の突出面５５側に曲げられた部分を有する。また、上記実施形態と同様の効果を奏することから、両側部６１，６２のうち少なくとも何れか一方の側部６１，６２（より好ましくは両側部）の先端６１ａ，６２ａが、収納凹部５の突出面５５よりも外側に出るように形成されていることが好ましい。
【００３７】
図９に示すカバー部材２は、フランジ部６の両側部６１，６２の下方側が収納凹部５の突出面５５側に曲げられていると共に、両側部６１，６２の上方側がフランジ部６の下縁６ａから上方に向かうに従い徐々に平坦状となり、上縁の上面視形状が直線状に形成されている。フランジ部６の両側部６１，６２は全体が曲げられておらず、両側部６１，６２の少なくとも下方側が収納凹部５側に曲げられていれば（下縁６ａの底面視形状が非直線状）、ブリスター容器１は自立し得る。
【００３８】
また、上記各実施形態においては、フランジ部６の略中央部に収納凹部５が形成されているが、収納凹部５は、フランジ部６の任意の位置に設けられる。例えば、収納凹部５は、フランジ部６の一方の側部６１寄りに形成されていてもよいし、或いは、フランジ部６の上縁又は下縁６ａ寄りの位置に形成されていてもよい。
また、上記各実施形態では、収納凹部５の突出面５５が、湾曲面とされているが、例えば、図９に示すように、収納凹部５の突出面５５は、平坦面とされていてもよい。その他、収納凹部５の形状は、任意に設定できる。
【００３９】
上記各実施形態のブリスター容器１において、フランジ部６及び閉塞シート３の面内の上方部に、両者を貫通する吊下げ孔が穿設されていてもよい。
このようなブリスター容器１は、吊下げ陳列、及び、自立陳列の何れの用途でも使用できる。
【産業上の利用可能性】
【００４０】
本発明のブリスター容器は、各種商品Ａの包装容器として利用できる。ブリスター容器に商品Ａが収納されたブリスター容器は、ハンガー棒に吊り下げて陳列販売できる。
【符号の説明】
【００４１】
１…ブリスター容器、２…カバー部材、３…閉塞シート、５…収納凹部、６…フランジ部、６ａ…フランジ部の下縁、６１，６２…フランジ部の側部、６１ａ，６２ａ…フランジ部の側部の先端、Ａ…商品
【図１】
0005593533.tif 000002
【図２】
0005593533.tif 000003
【図３】
0005593533.tif 000004
【図４】
0005593533.tif 000005
【図５】
0005593533.tif 000006
【図６】
0005593533.tif 000007
【図７】
0005593533.tif 000008
【図８】
0005593533.tif 000009
【図９】
0005593533.tif 000010